(57)【特許請求の範囲】
【請求項１】
送信すべき通信信号の所定の時間位置に所定の規則で変化する所定のパターンを付加するパターン付加部をそれぞれ備え、マザーボードに対して活線挿抜可能である第１基板及び少なくとも１枚の第２基板を備え、前記マザーボードを介して前記第１基板と前記第２基板との間で前記所定のパターンが付加された通信信号を送受信する通信装置において、
前記第１基板及び前記第２基板は、受信する通信信号に付加された前記所定のパターンを監視する第１監視部と、
送信すべき通信信号の送信位置において、送信すべき通信信号に付加された前記所定のパターンを監視する第２監視部と、
前記送信位置と前記第２監視部との間に設けられた前記第２監視部を電気的に保護する保護部と、
前記第１監視部及び前記第２監視部の監視結果に応じた警報を発生する警報発生部と
をそれぞれ備えることを特徴とする通信装置。
【請求項２】
前記第１基板は、前記第２基板から送出されてくる通信信号を多重して上位の装置へ送出するとともに、当該上位の装置から送信されてくる多重化された通信信号を分離して前記第２基板へ送信することを特徴とする請求項１記載の通信装置。
【請求項３】
前記通信信号は、予め定められたビット数のフレーム信号であることを特徴とする請求項１又は請求項２記載の通信装置。
【請求項４】
前記警報発生部は、前記第１監視部及び前記第２監視部の監視結果を表示する表示部を備えることを特徴とする請求項１から請求項３の何れか一項に記載の通信装置。
【発明の詳細な説明】
【０００１】
【発明の属する技術分野】
本発明は、通信速度が高速な上位装置と低速な端末装置との間に設けられ、上位装置と端末装置との間で送受信される通信信号を処理する通信装置に関する。
【０００２】
【従来の技術】
図４は、従来の通信装置の概略構成を示すブロック図である。図４に示した通信装置１１０は、通信速度が高速な上位装置１００と通信速度が低速な複数の端末装置１２０ａ〜１２０ｎとの間に設けられ、上位装置１００と端末装置１２０ａ〜１２０ｎとの間で送受信される通信信号を処理する。通信装置１１０は、伝送路インターフェース部（高速インタフェース部）１１１、多重分離部（以下、ＭＵＸ部という）１１２、及び加入者インタフェース部（低速インタフェース部）１１３ａ〜１１３ｎを備える。つまり、１つの伝送路インタフェース部１１１に対して１つのＭＵＸ部１１２及び複数の加入者インタフェース部１１３ａ〜１１３ｎを設けた構成である。
【０００３】
ＭＵＸ部１１２は、伝送路インタフェース１１１から出力される通信信号を分離して加入者インタフェース部１１３ａ〜１１３ｎに出力するとともに、加入者インタフェース部１１３ａ〜１１３ｎから出力される信号を多重して伝送路インタフェース部１１１へ出力する。伝送路インターフェース部１１１、ＭＵＸ部１１２、及び加入者インタフェース部１１３ａ〜１１３ｎは、各々１枚の基板で実現され、バックボード（マザーボード）に対して活線挿抜可能（電源が投入されている状態で基板の抜き差しが可能）なプラグインパッケージのユニットである。つまり、伝送路インターフェース部１１１、ＭＵＸ部１１２、及び加入者インタフェース部１１３ａ〜１１３ｎをバックボードに挿入することにより、各々が電気的に接続される。
【０００４】
通信装置１１０内に設けられたＭＵＸ部１１２と加入者インタフェース部１１３ａ〜１１３ｎ各々との間では、６．３１２Ｍｂｉｔ／ｓの通信速度で上りフレーム信号及び下りフレーム信号の送受信が行われる。ここで、図５を参照してＭＵＸ部１１２と加入者インタフェース部１１３ａ〜１１３ｎとの間で送受信される上りフレーム信号及び下りフレーム信号のフォーマットについて説明する。図５は、ＭＵＸ部１１２と加入者インタフェース部１１３ａ〜１１３ｎとの間で送受信されるフレーム信号のフォーマットの一例を示す図である。
【０００５】
図５に示したフレーム信号は、１つのフレームが１２５μｓの時間間隔であり、１番目〜９６番目の計９６個のタイムスロット（１つのタイムスロットには８ビットが含まれる）からなるデータ領域ＤＦと、９７番目の１つのタイムスロットからなるチェック領域ＣＦと、９８番目のタイムスロットと５ビットを含むタイムスロットからなる予約領域ＲＦ（未使用）とを有する。チェック領域ＣＦは、図示のように、４ビットのチェックビットＣＢと１ビットのフェイルビットＦＢとを含む。
【０００６】
チェックビットＣＢにはフレーム毎に‘０１０１’，‘１０１０’，‘０１０１’，…と交番的に変化するパターンが格納される。フェイルビットＦＢは、上りフレーム信号又は下りフレーム信号に異常が生じたときに、例えば‘１’がセットされる。次に、従来のＭＵＸ部１１２及び加入者インタフェース部１１３ａ〜１１３ｎの構成について説明する。
【０００７】
図６は、従来の通信装置に設けられるＭＵＸ部１１２及び加入者インタフェース部１１３ａ〜１１３ｎの構成を示すブロック図である。尚、加入者インタフェース部１１３ａ〜１１３ｎは同様の構成であるため、図６においては、加入者インタフェース部１１３ｍを代表させて図示している。また、ＭＵＸ部１１２は、加入者インタフェース部１１３ｍに対応して設けられた構成のみを図示しているが、図示したＭＵＸ部１１２の構成は加入者インタフェース部１１３ａ〜１１３ｎ各々に対して設けられている。
【０００８】
ＭＵＸ部１１２は、上りパターン監視部２０１、上りフェイルビット発生部２０２、タイムスロット生成部２０３、タイムスロット合成部２０４、下りフェイルビット監視部２０５、警報発生部２０６、及びＬＥＤ（Light Emitting Diode）２０７を含んで構成される。上りパターン監視部２０１は、上りフレーム信号ＵＳに含まれるチェック領域ＣＦ内のチェックビットＣＢのパターンが予め定められた上記のパターン通りに変化するか否かを監視することにより加入者インタフェース部１１３ａ〜１１３ｎからの上りフレーム信号ＵＳが正常か否かを検出する。上りフェイルビット発生部２０２は、上りパターン監視部２０１の監視結果が異常を示すものである場合には、上りフレーム信号ＵＳが異常であることを示すためにフェイルビットＦＢを‘１’とする信号を発生する。
【０００９】
タイムスロット生成部２０３は、チェック領域ＣＦのチェックビットＣＢが前述した通りに変化するパターンとなるとともに、上りフェイルビット発生部２０２から信号が出力されたときには、チェック領域ＣＦのフェイルビットＦＢが‘１’であるタイムスロットを生成する。タイムスロット合成部２０４は、下りフレーム信号ＤＳとタイムスロット生成部２０３で生成されたタイムスロットとを合成する。
【００１０】
下りフェイルビット監視部２０５は、上りフレーム信号ＵＳに含まれるチェック領域ＣＦ内のフェイルビットＦＢが‘１’であるか否かを監視することにより、ＭＵＸ部１１２から加入者インタフェース部１１３ｍへ送信した下りフレーム信号ＤＳが正常か否かを検出する。警報発生部２０６は下りフェイルビット監視部２０５の監視結果に応じて警報を発生する。図６に示した例では、ＬＥＤ２０７を点灯させることにより下りフレーム信号ＤＳが異常である旨をユーザに通知する。
【００１１】
加入者インタフェース部１１３ｍは、下りパターン監視部２１１、下りフェイルビット発生部２１２、タイムスロット生成部２１３、タイムスロット合成部２１４、上りフェイルビット監視部２１５、警報発生部２１６、及びＬＥＤ２１７を含んで構成される。下りパターン監視部２１１は、下りフレーム信号ＤＳに含まれるチェック領域ＣＦ内のチェックビットＣＢのパターンが予め定められた上記のパターン通りに変化するか否かを監視することによりＭＵＸ部１１２からの下りフレーム信号ＤＳが正常か否かを検出する。下りフェイルビット発生部２１２は、下りパターン監視部２１１の監視結果が異常を示すものである場合には、下りフレーム信号ＤＳが異常であることを示すためにフェイルビットＦＢを‘１’とする信号を発生する。
【００１２】
タイムスロット生成部２１３は、チェック領域ＣＦのチェックビットＣＢが前述した通りに変化するパターンとなるとともに、下りフェイルビット発生部２１２から信号が出力されたときには、チェック領域ＣＦのフェイルビットＦＢが‘１’であるタイムスロットを生成する。タイムスロット合成部２１４は、上りフレーム信号ＵＳとタイムスロット生成部２１３で生成されたタイムスロットとを合成する。
【００１３】
上りフェイルビット監視部２１５は、下りフレーム信号ＤＳに含まれるチェック領域ＣＦ内のフェイルビットＦＢが‘１’であるか否かを監視することにより、加入者インタフェース部１１３ｍからＭＵＸ部１１２へ送信した上りフレーム信号ＵＳが正常か否かを検出する。警報発生部２１６は上りフェイルビット監視部２１５の監視結果に応じて警報を発生する。図６に示した例では、ＬＥＤ２１７を点灯させることにより上りフレーム信号ＵＳが異常である旨をユーザに通知する。
【００１４】
以上の構成において、ＭＵＸ部１１２は、上りフレーム信号ＵＳに含まれるチェック領域ＣＦのチェックビットＣＢのパターンが予め定められた上記のパターン通りに変化するか否かを監視することにより加入者インタフェース部１１３ｍからの上りフレーム信号ＵＳが正常か否かを検出する。また、ＭＵＸ部１１２は、上りフレーム信号ＵＳに含まれるチェック領域ＣＦのフェイルビットＦＢが‘１’であるか又は‘０’であるか（このフェイルビットＦＢは加入者インタフェース部１１３ｍ内のパターン監視部２１１の監視結果に応じて設定される）を監視することにより加入者インタフェース部１１３ｍへ送出した下りフレーム信号ＤＳが正常であるか否かを判断する。
【００１５】
同様に、加入者インタフェース部１１３ｍは、下りフレーム信号ＤＳに含まれるチェック領域ＣＦのチェックビットＣＢのパターンが予め定められた上記のパターン通りに変化するか否かを監視することによりＭＵＸ部１１２からの下りフレーム信号ＤＳが正常か否かを監視する。また、加入者インタフェース部１１３ｍは、下りフレーム信号ＤＳに含まれるチェック領域ＣＦのフェイルビットＦＢが‘１’であるか又は‘０’であるか（このフェイルビットＦＢはＭＵＸ部１１２内の上りパターン監視部２０１の監視結果に応じて設定される）を監視することによりＭＵＸ部１１２へ送出した上りフレーム信号ＵＳが正常であるか否かを判断する。
【００１６】
【発明が解決しようとする課題】
ところで、上述したＭＵＸ部１１２及び加入者インタフェース部１１３ａ〜１１３ｎは、バックボード（マザーボード）に対して着脱自在に構成されており、通信の障害の原因はこれらの接続状況に起因することが多い。特に、ＭＵＸ部１１２及び加入者インタフェース部１１３ａ〜１１３ｎは、活線挿抜可能なプラグインパッケージのユニットであるため、ＭＵＸ部１１２の下りフレーム信号ＤＳの出力部及び上りフレーム信号ＵＳの入力部に設けられた不図示のバッファ、及び、加入者インタフェース部１１３ａ〜１１３ｎの上りフレーム信号ＵＳの出力部及び下りフレーム信号ＤＳの入力部に設けられた不図示のバッファに電気的な障害が生じることが多い。
【００１７】
よって、ＭＵＸ部１１２及び加入者インタフェース部１１３ａ〜１１３ｎとバックボードとの接続状況を詳細に監視する必要があるが、図６に示した従来の通信装置では、通信障害が生じた場合に、ＭＵＸ部１１２に障害が発生したことが通信障害の原因なのか、又は、加入者インタフェース部１１３ａ〜１１３ｎに障害が発生したことが通信障害の原因なのかをユーザが詳細に知ることはできなかった。尚、障害はバックボードで生ずることも考えられるが、バックボードの障害は極めて希であるため、バックボードの障害は通常考慮する必要がない。
【００１８】
図７は、従来の通信装置の障害発生箇所を示す図であり、図８は、図７の各障害点で障害が発生したときのＬＥＤ２０７，２１７の表示例を示す図表である。いま、ＭＵＸ部１１２の下りフレーム信号ＤＳの出力部に設けられた不図示のバッファが配置されている個所（図７中に示した障害点Ｆ１１）又は加入者インタフェース部１１３ｍの下りフレーム信号ＤＳの入力部に設けられた不図示のバッファが配置されている個所（図７中に示した障害点Ｆ１２）で障害が生じたとする。
【００１９】
障害点Ｆ１１又は障害点Ｆ１２に障害が生じた場合には、下りフレーム信号ＤＳが加入者インタフェース部１１３ｍに入力されないため、下りパターン監視部２１１は下りフレーム信号ＤＳの異常を監視し、この監視結果に応じて下りフェイルビット発生部２１２がフェイルビットＦＢを‘１’とする信号を発生し、タイムスロット生成部２１３がチェック領域ＣＦのフェイルビットＦＢが‘１’であるタイムスロットを生成する。生成されたタイムスロットはタイムスロット合成部２１４で合成されて、上りフレーム信号ＵＳとしてＭＵＸ部１１２へ送出される。
【００２０】
この上りフレーム信号ＵＳがＭＵＸ部１１２へ送出されると、下りフェイルビット監視部２０５が上りフレーム信号ＵＳに含まれるチェック領域ＣＦ内のフェイルビットＦＢを監視することにより、ＭＵＸ部１１２から加入者インタフェース部１１３ｍへ送信した下りフレーム信号ＤＳの異常を検出し、警報発生部２０６がＬＥＤ２０７を点灯させる。一方、下りフレーム信号ＤＳが加入者インタフェース部１１３ｍに入力されないときには、上りフェイルビット監視部２１５は、下りフレーム信号ＤＳに含まれるチェック領域ＣＦのフェイルビットＦＢが‘１’であることを監視することができないため、ＬＥＤ２１７は滅灯したままである。
【００２１】
このように、障害点Ｆ１１で障害が生じた場合のＬＥＤ２０７，２１７の表示結果と障害点Ｆ１２で障害が生じた場合のＬＥＤ２０７，２１７の表示結果とは同一となるため、ユーザはＭＵＸ部１１２で障害が生じたのか又は加入者インタフェース部１１３ｍで障害が生じたのかを判別することができない。以上の事情は、図７中の障害点Ｆ１３又は障害点Ｆ１４に障害が生じた場合も同様である。
【００２２】
本発明は上記事情に鑑みてなされたものであり、基板間で送受信される通信信号の異常が生じた場合に、その原因箇所をより詳細に特定することができ、その結果として障害の復旧を短時間で行うことができる通信装置を提供することを目的とする。
【００２３】
【課題を解決するための手段】
上記課題を解決するために、本発明の通信装置は、送信すべき通信信号の所定の時間位置に所定の規則で変化する所定のパターン（ＣＢ）を付加するパターン付加部（１４、１５、３４、３５）をそれぞれ備え、マザーボードに対して活線挿抜可能である第１基板（１０）及び少なくとも１枚の第２基板（３０ｍ）を備え、前記マザーボードを介して前記第１基板と前記第２基板との間で前記所定のパターンが付加された通信信号（ＵＳ、ＤＳ）を送受信する通信装置において、前記第１基板及び前記第２基板は、受信する通信信号に付加された前記所定のパターンを監視する第１監視部（１２、３２）と、送信すべき通信信号の送信位置において、送信すべき通信信号に付加された前記所定のパターンを監視する第２監視部（１３、３３）と、前記送信位置と前記第２監視部との間に設けられた前記第２監視部を電気的に保護する保護部（１７、３７）と、前記第１監視部及び前記第２監視部の監視結果に応じた警報を発生する警報発生部とをそれぞれ備えることを特徴としている。
この発明によれば、第１基板からマザーボードを介して第２基板へ送信された通信信号に含まれる所定のパターンを第２基板に設けられた第１監視部が監視し、第２基板からマザーボードを介して第１基板へ送信された通信信号に含まれる所定のパターンを第１基板に設けられた第１監視部が監視し、第１基板から第２基板へ送信する信号の第１基板の送信位置におけるパターンを第１基板に設けられた第２監視部が監視し、第２基板から第１基板へ送信する信号の第２基板の送信位置におけるパターンを第２基板に設けられた第２監視部が監視しているため、第１基板と第２基板との間で送受信される通信信号の異常が生じた場合であっても、その原因箇所を従来よりも詳細に特定することができる。その結果として、障害の復旧を短時間で行うことができる。
また、本発明の通信装置は、前記第１基板（１０）が、前記第２基板（３０ｍ）から送出されてくる通信信号（ＵＳ）を多重して上位の装置（１００）へ送出するとともに、当該上位の装置（１００）から送信されてくる多重化された通信信号（ＤＳ）を分離して前記第２基板（３０ｍ）へ送信することを特徴としている。
また、本発明の通信装置は、前記通信信号（ＵＳ、ＤＳ）は、予め定められたビット数のフレーム信号であることを特徴としている。
更に、本発明の通信装置は、前記警報発生部（１８、１９、２０、３８、３９、４０）が、前記第１監視部（１２、３２）及び前記第２監視部（１３、３３）の監視結果を表示する表示部（１９、２０、３９、４０）を備えることが好適である。
【００２４】
【発明の実施の形態】
以下、図面を参照して本発明の一実施形態による通信装置について詳細に説明する。図１は、本発明の一実施形態による通信装置に設けられるＭＵＸ部及び加入者インタフェース部の構成を示すブロック図である。尚、図１中のＭＵＸ部１０は図４中のＭＵＸ部１１２に代えて、加入者インタフェース部３０ｍは図４中の加入者インタフェース部１１３ａ〜１１３ｎに代えてそれぞれ通信装置内に設けられる。
【００２５】
また、図４と同様に、１つのＭＵＸ部に対して複数の加入者インタフェース部が設けられているが、図１においては加入者インタフェース部３０ｍを代表して図示している。更に、図１においては、ＭＵＸ部１０について、１つの加入者インタフェース部１１３ｍに対応した部分の構成のみを図示しているが、、図示したＭＵＸ部１０の構成は加入者インタフェース部３０ｍの数に応じて設けられている。
【００２６】
図１に示したＭＵＸ部１０も、図４に示したＭＵＸ部１１２と同様に、伝送路インタフェース１１１から出力される通信信号を分離して少なくとも１つの加入者インタフェース部３０ｍに出力するとともに、少なくとも１つの加入者インタフェース部３０ｍから出力される信号を多重して伝送路インタフェース部１１１へ出力する。
【００２７】
また、ＭＵＸ部１０及び加入者インタフェース部３０ｍは、各々１枚の基板で実現され、バックボード（マザーボード）に対して活線挿抜可能（電源が投入されている状態で基板の抜き差しが可能）なプラグインパッケージのユニットである。つまり、伝送路インターフェース部１１１、ＭＵＸ部１０、及び少なくとも１つの加入者インタフェース部３０ｍをバックボードに挿入することにより、各々が電気的に接続される。
【００２８】
更に、ＭＵＸ部１０と少なくとも１つの加入者インタフェース部３０ｍ各々との間では、６．３１２Ｍｂｉｔ／ｓの通信速度で上りフレーム信号及び下りフレーム信号の送受信が行われ、各フレーム信号のフォーマットは図５に示したフォーマットと同様である。
【００２９】
図１に示したように、ＭＵＸ部１０は、バッファ部１１、上りパターン監視部１２、下り送出信号監視部１３、タイムスロット生成部１４、タイムスロット合成部１５、バッファ部１６、保護回路部１７、警報発生部１８、及びＬＥＤ１９，２０を含んで構成される。バッファ部１１は、上りフレーム信号ＵＳを入力とし、外部との電気的なインピーダンス整合等のために設けられる。
【００３０】
上りパターン監視部１２は、上りフレーム信号ＵＳに含まれるチェック領域ＣＦ内のチェックビットＣＢ（図５参照）のパターンが予め定められたパターン通りに変化するか否か、つまり、フレーム毎に‘０１０１’，‘１０１０’，‘０１０１’，…と交番的に変化するか否かを監視することにより加入者インタフェース部３０ｍからの上りフレーム信号ＵＳが正常か否かを検出する。
【００３１】
下り送出信号監視部１３は、バッファ部１６から送出した下りフレーム信号ＤＳに含まれるチェック領域ＣＦ内のチェックビットＣＢのパターンが予め定められたパターン通りに変化するか否かを監視することにより、バッファ部１６から送出された下りフレーム信号ＤＳが正常か否かを検出する。タイムスロット生成部１４は、下りフレーム信号ＤＳに含まれるチェック領域ＣＦのチェックビットＣＢが前述した通りに変化するパターンとなるタイムスロットを生成する。タイムスロット合成部１５は、下りフレーム信号ＤＳとタイムスロット生成部１４で生成されたタイムスロットとを合成する。
【００３２】
バッファ部１６は、下りフレーム信号ＤＳを入力とし、外部との電気的なインピーダンス整合等のために設けられる。保護回路部１７は、静電破壊又はバックボードからＭＵＸ部１０を活線挿抜するときの過大電流等により、下り送出信号監視部１３が電気的に破壊されることを防止するためのものである。図１に示した例では、保護回路部１７はコンデンサと抵抗とからなる回路により実現されている。尚、この保護回路部１７はバッファ部１６と下り送出信号監視部１３との間に配置されているが、下り送出信号監視部１３がバッファ部１６から送出された下りフレーム信号ＤＳの監視をする上で保護回路部１７が妨げとならないように設計される。
【００３３】
警報発生部１８は上りパターン監視部１２及び下り送出信号監視部１３の監視結果に応じて警報を発生する。具体的には、上りパターン監視部１２で上りフレーム信号ＵＳの異常が監視されたときにはＬＥＤ１９を点灯し、下り送出信号監視部１３でバッファ部１６から送出した下りフレーム信号ＤＳの異常が監視されたときには、ＬＥＤ２０を点灯する。
【００３４】
一方、加入者インタフェース部３０ｍは、バッファ部３１、下りパターン監視部３２、上り送出信号監視部３３、タイムスロット生成部３４、タイムスロット合成部３５、バッファ部３６、保護回路部３７、警報発生部３８、及びＬＥＤ３９，４０を含んで構成される。バッファ部３１は、下りフレーム信号ＤＳを入力とし、外部との電気的なインピーダンス整合等のために設けられる。
【００３５】
下りパターン監視部３２は、下りフレーム信号ＤＳに含まれるチェック領域ＣＦ内のチェックビットＣＢ（図５参照）のパターンが予め定められたパターン通りに変化するか否か、つまり、フレーム毎に‘０１０１’，‘１０１０’，‘０１０１’，…と交番的に変化するか否かを監視することによりＭＵＸ部１０からの下りフレーム信号ＤＳが正常か否かを検出する。
【００３６】
上り送出信号監視部３３は、バッファ部３６から送出した上りフレーム信号ＵＳに含まれるチェック領域ＣＦ内のチェックビットＣＢのパターンが予め定められたパターン通りに変化するか否かを監視することにより、バッファ部３６から送出された上りフレーム信号ＵＳが正常か否かを検出する。タイムスロット生成部３４は、上りフレーム信号ＵＳに含まれるチェック領域ＣＦのチェックビットＣＢが前述した通りに変化するパターンとなるタイムスロットを生成する。タイムスロット合成部３５は、上りフレーム信号ＵＳとタイムスロット生成部３４で生成されたタイムスロットとを合成する。
【００３７】
バッファ部３６は、上りフレーム信号ＵＳを入力とし、外部との電気的なインピーダンス整合等のために設けられる。保護回路部３７は、静電破壊又はバックボードから加入者インタフェース部３０ｍを活線挿抜するときの過大電流等により、下り送出信号監視部３３が電気的に破壊されることを防止するためのものである。図１に示した例では、保護回路部３７はコンデンサと抵抗とからなる回路により実現されている。尚、この保護回路部３７はバッファ部３６と上り送出信号監視部３３との間に配置されているが、下り送出信号監視部３３がバッファ部３６から送出された下りフレーム信号ＤＳの監視をする上で保護回路部３７が妨げとならないように設計される。
【００３８】
警報発生部３８は下りパターン監視部３２及び下り送出信号監視部３３の監視結果に応じて警報を発生する。具体的には、下りパターン監視部３２で下りフレーム信号ＤＳの異常が監視されたときにはＬＥＤ３９を点灯し、上り送出信号監視部３３でバッファ部３６から送出した上りフレーム信号ＵＳの異常が監視されたときには、ＬＥＤ４０を点灯する。
【００３９】
以上の構成において、加入者インタフェース部３０ｍでは、上りフレーム信号ＵＳに含まれるチェック領域ＣＦのチェックビットＣＢが前述した通りに変化するパターンとなるタイムスロットがタイムスロット生成部３４で生成され、タイムスロット合成部３５において上りフレーム信号ＵＳと合成されて、バッファ部３６を介してＭＵＸ部１０へ送出される。同様に、ＭＵＸ部１０では、下りフレーム信号ＤＳに含まれるチェック領域ＣＦのチェックビットＣＢが前述した通りに変化するパターンとなるタイムスロットがタイムスロット生成部１４で生成され、タイムスロット合成部１５において下りフレーム信号ＤＳと合成されて、バッファ部１６を介して加入者インタフェース部３０ｍに送出される。
【００４０】
加入者インタフェース部３０ｍからＭＵＸ部１０に送出されてきた上りフレーム信号ＵＳがバッファ部１１を介して受信されると、上りパターン監視部１２で上りフレーム信号ＵＳに含まれるチェック領域ＣＦ内のチェックビットＣＢのパターンが予め定められたパターン通りに変化するか否かが監視される。また、バッファ１６を介して加入者インタフェース部３０ｍに向けて送出された下りフレーム信号ＤＳは、下り送出信号監視部１３で下りフレーム信号ＤＳに含まれるチェック領域ＣＦ内のチェックビットＣＢのパターンが予め定められたパターン通りに変化するか否かが監視される。警報発生部１８は、上りパターン監視部１２で異常が監視されたときにはＬＥＤ１９を点灯し、下り送出信号監視部１３で異常が監視されたときにはＬＥＤ２０を点灯する。
【００４１】
ＭＵＸ部１０から加入者インタフェース部３０ｍに送出されてきた下りフレーム信号ＤＳがバッファ部３３を介して受信されると、下りパターン監視部３２で下りフレーム信号ＤＳに含まれるチェック領域ＣＦ内のチェックビットＣＢのパターンが予め定められたパターン通りに変化するか否かが監視される。また、バッファ３６を介してＭＵＸ部１０に向けて送出された上りフレーム信号ＵＳは、上り送出信号監視部３３で上りフレーム信号ＵＳに含まれるチェック領域ＣＦ内のチェックビットＣＢのパターンが予め定められたパターン通りに変化するか否かが監視される。警報発生部３８は、下りパターン監視部３２で異常が監視されたときにはＬＥＤ３９を点灯し、上り送出信号監視部３３で異常が監視されたときにはＬＥＤ４０を点灯する。
【００４２】
図２は、本実施形態の通信装置の障害発生箇所を示す図であり、図３は、図２の各障害点で障害が発生したときのＬＥＤ１９，２０，３９，４０の表示例を示す図表である。いま、ＭＵＸ部１０の下りフレーム信号ＤＳの出力部に設けられたバッファ部１６に障害が生じた場合を考える。このときの障害点は図２中の障害点Ｆ１である。バッファ部１６に障害が生ずると、バッファ部１６から下りフレーム信号ＤＳが出力されないため、ＭＵＸ部１０内の下り送出信号監視部１３及び加入者インタフェース部３０ｍ内の下りパターン監視部３２で下りフレーム信号ＤＳの異常が監視される結果、ＬＥＤ２０，３９が点灯する。このとき、上りフレーム信号に関しては異常が生じていないため、ＬＥＤ１９，４０は滅灯したままである（図３参照）。
【００４３】
次に、加入者インタフェース部３０ｍの下りフレーム信号ＤＳの入力部に設けられたバッファ部３１に障害が生じた場合を考える。このときの障害点は図２中の障害点Ｆ２である。ＭＵＸ部１０から出力されている下りフレーム信号ＤＳは正常であるため、ＭＵＸ部１０内の下り送出信号監視部１３では下りフレーム信号ＤＳの異常は監視されないため、ＬＥＤ２０は滅点したままである。
【００４４】
しかしながら、加入者インタフェース部３０ｍにおいては、下りフレーム信号ＤＳがバッファ部３１を介して受信されないため、下りパターン監視部３２で下りフレーム信号ＤＳの異常が監視され、その結果としてＬＥＤ３９が点灯する。このとき、上りフレーム信号に関しては異常が生じていないため、ＬＥＤ１９，４０は滅灯したままである（図３参照）。このように、下りフレーム信号ＤＳの異常が生じた場合には、ＬＥＤ２０，３９の表示によって障害の発生箇所がＭＵＸ部１０内であるのか又は加入者インタフェース部３０ｍ内であるのかをユーザが判別することができる。
【００４５】
同様に、加入者インタフェース部３０ｍの上りフレーム信号ＵＳの出力部に設けられたバッファ部３６に障害が生じた場合を考える。このときの障害点は図２中の障害点Ｆ４である。バッファ部３６に障害が生ずると、バッファ部３６から上りフレーム信号ＵＳが出力されないため加入者インタフェース部３０ｍ内の上り送出信号監視部３３及びＭＵＸ部１０内の上りパターン監視部１２で上りフレーム信号ＵＳの異常が監視される結果、ＬＥＤ１９，４０が点灯する。このとき、下りフレーム信号に関しては異常が生じていないため、ＬＥＤ２０，３９は滅灯したままである（図３参照）。
【００４６】
次に、ＭＵＸ部１０の上りフレーム信号ＵＳの入力部に設けられたバッファ部１１に障害が生じた場合を考える。このときの障害点は図２中の障害点Ｆ３である。加入者インタフェース部３０ｍから出力されている上りフレーム信号ＵＳは正常であるため、加入者インタフェース部３０ｍ内の上り送出信号監視部３３では上りフレーム信号ＵＳの異常は監視されないため、ＬＥＤ４０は滅点したままである。
【００４７】
しかしながら、ＭＵＸ部１０においては、上りフレーム信号ＵＳがバッファ部１１を介して受信されないため、上りパターン監視部１２で上りフレーム信号ＵＳの異常が監視され、その結果としてＬＥＤ１９が点灯する。このとき、下りフレーム信号に関しては異常が生じていないため、ＬＥＤ２０，３９は滅灯したままである（図３参照）。上りフレーム信号ＵＳについても異常が生じた場合には、ＬＥＤ１９，４０の表示によって障害の発生箇所がＭＵＸ部１０内であるのか又は加入者インタフェース部３０ｍ内であるのかをユーザが判別することができる。
【００４８】
尚、ＭＵＸ部１０及び加入者インタフェース部３０ｍがバックボードに対して正常に挿入されていないとき（半差し）には、ＭＵＸ部１０のバッファ部１６からは下りフレーム信号ＤＳが、加入者インタフェース部３０ｍのバッファ部３６からは上りフレーム信号ＤＳがそれぞれ正常に出力されており、これらを加入者インタフェース部３０ｍ内の下りパターン監視部３２及びＭＵＸ部１０内の上りパターン監視部１２がそれぞれ受信できない状態であるので、図３に示したように、ＬＥＤ１９，３９は点灯し、ＬＥＤ２０，４０は滅灯した状態となる。
【００４９】
以上説明したように本実施形態によれば、下りフレーム信号及び上りフレーム信号の異常が生じた場合に、その原因箇所を従来よりも詳細に特定することができる。そのため、障害の復旧を短時間で行うことができる。
【００５０】
【発明の効果】
以上説明したように、本発明によれば、第１基板から第２基板へ送信された通信信号に含まれる所定のパターンを第２基板に設けられた第１監視部が監視し、第２基板から第１基板へ送信された通信信号に含まれる所定のパターンを第１基板に設けられた第１監視部が監視し、第１基板から第２基板へ送信する信号の第１基板の送信位置におけるパターンを第１基板に設けられた第２監視部が監視し、第２基板から第１基板へ送信する信号の第２基板の送信位置におけるパターンを第２基板に設けられた第２監視部が監視しているため、第１基板と第２基板との間で送受信される通信信号の異常が生じた場合であっても、その原因箇所を従来よりも詳細に特定することができるという効果がある。その結果として、障害の復旧を短時間で行うことができるという効果がある。
【図面の簡単な説明】
【図１】  本発明の一実施形態による通信装置に設けられるＭＵＸ部及び加入者インタフェース部の構成を示すブロック図である。
【図２】  本実施形態の通信装置の障害発生箇所を示す図である。
【図３】  図２の各障害点で障害が発生したときのＬＥＤ１９，２０，３９，４０の表示例を示す図表である。
【図４】  従来の通信装置の概略構成を示すブロック図である。
【図５】  ＭＵＸ部１１２と加入者インタフェース部１１３ａ〜１１３ｎとの間で送受信されるフレーム信号のフォーマットの一例を示す図である。
【図６】  従来の通信装置に設けられるＭＵＸ部１１２及び加入者インタフェース部１１３ａ〜１１３ｎの構成を示すブロック図である。
【図７】  従来の通信装置の障害発生箇所を示す図である。
【図８】  図７の各障害点で障害が発生したときのＬＥＤ２０７，２１７の表示例を示す図表である。
【符号の説明】
１０          ＭＵＸ部（第１基板）
１２          上りパターン監視部（第１監視部）
１３          下り送出信号監視部（第２監視部）
１４，３４    タイムスロット生成部（パターン付加部）
１５，３５    タイムスロット合成部（パターン付加部）
１７，３７    保護回路部（保護部）
１８          警報発生部
１９，２０    ＬＥＤ（警報発生部、表示部）
３０ｍ        加入者インタフェース部（第２基板）
３２          下りパターン監視部（第１監視部）
３３          上り送出信号監視部（第２監視部）
３８          警報発生部
３９，４０    ＬＥＤ（警報発生部、表示部）
１００        上位装置（上位の装置）
ＣＢ          チェックビット（所定のパターン）
ＤＳ          下りフレーム信号（通信信号）
ＵＳ          上りフレーム信号（通信信号）
【図１】
0004126890.tif 000002
【図２】
0004126890.tif 000003
【図３】
0004126890.tif 000004
【図４】
0004126890.tif 000005
【図５】
0004126890.tif 000006
【図６】
0004126890.tif 000007
【図７】
0004126890.tif 000008
【図８】
0004126890.tif 000009